(57)【要約】【課題】  日常着る衣服に縫工筋と薄筋の働きをサポートする構成を付与し、日頃からＯ脚の傾向が生じるのを防止し膝を保護する。【解決手段】  膝の上下の所要の位置に第１低伸縮領域１と第２低伸縮領域２を周設し、膝の位置に第３低伸縮領域３を周設する。さらに、第３低伸縮領域３の鵞足の位置３ａから縫工筋の筋繊維の方向に沿うように伸びて第１低伸縮領域１と交わる位置１ａまで延設された第４低伸縮領域４と、第３低伸縮領域３の鵞足の位置３ａから薄筋の筋繊維の方向に沿うように伸びて第１低伸縮領域１と交わる位置１ｂまで延設された第５低伸縮領域５と、第３低伸縮領域３の鵞足の位置３ａから下腿部の前側を下方に伸びて第２低伸縮領域２と交わる位置２ａまで延設された第６低伸縮領域６を設ける。第１〜第６低伸縮領域１〜６は、これらの領域を設けないベース部７よりも緊締力を強くした構成とする。【選択図】  図１
2011038230.tif 000002
【特許請求の範囲】
【請求項１】
膝よりも上方の大腿部の所要の位置に第１低伸縮領域を周設し、膝よりも下方の下腿部の所要の位置に第２低伸縮領域を周設し、膝の位置に第３低伸縮領域を周設した膝保護用衣服であって、
前記第３低伸縮領域の鵞足の位置から縫工筋の筋繊維の方向に沿うように伸びて前記第１低伸縮領域と交わる位置まで延設された第４低伸縮領域と、前記第３低伸縮領域の鵞足の位置から薄筋の筋繊維の方向に沿うように伸びて前記第１低伸縮領域と交わる位置まで延設された第５低伸縮領域と、前記第３低伸縮領域の鵞足の位置から下腿部の前側を下方に伸びて前記第２低伸縮領域と交わる位置まで延設された第６低伸縮領域と、をさらに設け、前記第１〜第６低伸縮領域は、これらの領域を設けないベース部よりも緊締力を強くしたことを特徴とする膝保護用衣服。
【請求項２】
前記第１〜第６低伸縮領域は、丸編機によって同一コースの編み組織内で編目の大きさを変化させる度目調整手段により、前記ベース部よりも小さな編目を用いて編成したことを特徴とする請求項１に記載の膝保護用衣服。
【請求項３】
前記度目調整手段は、丸編機のシンカー上面に編み糸保持部としてシンカートップと該シンカートップよりも低い位置で編み糸を保持するシンカーエクボを形成した度目変化シンカーを使用し、前記度目変化シンカーの丸編機の軸心方向の進退を切り替えることにより、同一コースの編み組織内で編目の大きさを変化させる手段を用いたことを特徴とする請求項２に記載の膝保護用衣服。
【発明の詳細な説明】
【技術分野】
【０００１】
本発明は、膝にかかる負担の軽減を目的とした膝保護用衣服に関する。
【背景技術】
【０００２】
加齢とともに脚の筋力が衰えると、体の動きを支える負荷が膝に集中し、膝関節の軟骨にダメージを与えてしまう。そのため、中高齢になると、例えば歩行時や階段の昇降時に膝痛の症状が出て、膝の曲げ伸ばしが困難になることがある。特に女性の場合は、男性よりも筋肉量が少ない上に、加齢とともに基礎代謝の低下により体重が増加し易いため、膝痛を抱えやすい傾向がある。
【０００３】
また、長時間の立ち仕事や階段の昇り降りが多いなど、膝関節を酷使する生活習慣を続けている人も膝痛の症状が出やすい。さらに、健康のためのジョギングやウォーキングについても、過度に行うと膝に負担をかけて膝痛の原因となる場合がある。
【０００４】
そこで、従来より、膝を保護するための運動用被服が提案されている。例えば、下記特許文献１には、伸縮性を有し体表面に密着して着用される運動用被服であって、この運動用被服本体の生地より緊締力に富む伸縮性を有するシリコン樹脂等の合成樹脂を膝等の可動部分に所定の形状に設けて、可動部分の腱や靱帯をサポートする運動用被服が開示されている。
【０００５】
また、下記特許文献２には、体表面に密着する高伸縮性の生地よりなる伸縮部と、伸縮部より緊締力が高くなるように異なる素材構造の生地で形成された緊締部を備え、緊締部を身体の所望の部位に当接してその部位をサポートする運動用被服が開示されている。
【０００６】
さらに、下記特許文献３には、前部分、後部分、外側部分、後腰部持出し部分、内側部分からなる下衣において、外側部分および前部分の外面側に外膝部をサポートする外膝サポート部分を縫合し、内側部分および前部分の外側に内膝部をサポートする内膝サポート部分を縫合する構成が開示されている。
【０００７】
しかしながら、特許文献１の運動用被服は、スポーツ障害を防ぐことを目的とするもので、膝などに設ける緊締部がシリコン樹脂等の合成樹脂で構成されているため、緊締部に異物感があって着心地が悪く、日常生活で着ることを前提とするスパッツ、レギンス、トレンカ、タイツ等には適用し難いものであった。また、合成樹脂からなる緊締部は、その部分に厚みが生じて目立つため、ファッション性に劣るという問題もあった。
【０００８】
また、特許文献２の運動用被服は、そもそも運動時の人の脚の動きをサポートすることを目的とするものであって、膝の保護に特化したものではないため、膝の保護に関しては目立った効果は得られなかった。また、脚部全体が高い伸縮性を有する伸縮部で覆われている上、さらに緊締力が高い緊締部が脚部の外側及び内側に相当の面積を占めて設けられているため、脚部に対する締め付けが強すぎ、日常生活で着るのには不向きであった。加えて、脚部への締め付けが強すぎるため、特に筋力が弱い高齢者にとっては被服の着脱が容易でないという問題もあった。
【０００９】
さらに、特許文献３の下衣は、脚の運動の増進を目的とするものではあるが、前部分、後部分、外側部分、後腰部持ち出し部分、内側部分の５つの生地パターンを個別に作成し、外膝及び内膝のサポート部分と別途縫製するものであるため、縫製にかなりの工数を要し、コストアップが避けられないという問題があった。
【先行技術文献】
【特許文献】
【００１０】
【特許文献１】特開平１１−６１５１６号公報
【特許文献２】特開２０００−３２８３０５号公報
【特許文献３】特開平１０−１１０３０６号公報
【発明の概要】
【発明が解決しようとする課題】
【００１１】
本発明が解決しようとする課題は、従来の技術は、（１）緊締部が合成樹脂で構成されていたため、異物感があって着心地が悪く、ファッション性にも劣る点、（２）運動時の人の脚の動きをサポートすることを目的としていたため、膝の保護に特化した構成になっておらず、膝の保護に関しては目立った効果が得られない点、（３）複数の生地パターンを個別に作成し、外膝及び内膝のサポート部分と別途縫製する構成であったため、縫製にかなりの工数を要し、コストアップとなる点である。
【課題を解決するための手段】
【００１２】
上記の課題を解決するため、本発明の膝保護用衣服は、
膝よりも上方の大腿部の所要の位置に第１低伸縮領域を周設し、膝よりも下方の下腿部の所要の位置に第２低伸縮領域を周設し、膝の位置に第３低伸縮領域を周設した膝保護用衣服であって、
前記第３低伸縮領域の鵞足の位置から縫工筋の筋繊維の方向に沿うように伸びて前記第１低伸縮領域と交わる位置まで延設された第４低伸縮領域と、前記第３低伸縮領域の鵞足の位置から薄筋の筋繊維の方向に沿うように伸びて前記第１低伸縮領域と交わる位置まで延設された第５低伸縮領域と、前記第３低伸縮領域の鵞足の位置から下腿部の前側を下方に伸びて前記第２低伸縮領域と交わる位置まで延設された第６低伸縮領域と、をさらに設け、前記第１〜第６低伸縮領域は、これらの領域を設けないベース部よりも緊締力を強くしたことを最も主要な特徴点としている。
【発明の効果】
【００１３】
本発明によれば、先ず、第１及び第２低伸縮領域がテーピングのアンカーに類似した役割を果たすと共に、第３低伸縮領域は膝に適度な圧迫を与え膝の内圧上昇による膝関節痛の軽減効果を発揮しつつ膝の周囲をサポートする。そして、第１低伸縮領域と第３低伸縮領域の間に縫工筋の筋繊維の方向に沿うように設けた第４低伸縮領域が縫工筋の働きをサポートし、第１低伸縮領域と第３低伸縮領域の間に薄筋の筋繊維の方向に沿うように設けた第５低伸縮領域が薄筋の働きをサポートし、さらに、第２低伸縮領域と第３低伸縮領域の間に鵞足の位置から下腿部の前側を下方に伸びるように設けた第６低伸縮領域が第４低伸縮領域と第５低伸縮領域の効果をさらに引き出すサポートをするので、膝にかかる負担を低減し、膝関節を適切に保護することができる。
【図面の簡単な説明】
【００１４】
【図１】本発明の第１実施例の膝保護用衣服の正面図である。
【図２】第１実施例の膝保護用衣服の背面図である。
【図３】第１実施例の膝保護用衣服の左脚部分の展開図であり、編地の設計上、第１〜第６低伸縮領域が配置される位置を示した図である。
【図４】第１実施例のスパッツを着用した状態の説明図であり、（ａ）は右脚の外側面、（ｂ）は正面、（ｃ）は右脚の内側面を示す図である。
【図５】第２実施例のサポーターを着用した状態の説明図であり、（ａ）は右脚の外側面、（ｂ）は正面、（ｃ）は右脚の内側面を示す図である。
【図６】第３実施例のレギンスを着用した状態の説明図であり、（ａ）は右脚の外側面、（ｂ）は正面、（ｃ）は右脚の内側面を示す図である。
【図７】第４実施例のトレンカを着用した状態の説明図であり、（ａ）は右脚の外側面、（ｂ）は正面、（ｃ）は右脚の内側面を示す図である。
【図８】本実施例で使用した度目変化シンカーの説明図である。
【図９】丸編機のシリンダーとシンカーベースの概略図である。
【図１０】丸編機に組み込まれた度目変化シンカー、編み針、ニードルセレクターの位置関係を示す側面図である。
【図１１】度目変化シンカーと編み針で、編目が編成される過程を順に示す側面図である。
【図１２】度目調整手段によって編成される小さな編目と大きな編目の一例を示す図である。
【図１３】（ａ）は縫工筋、（ｂ）は薄筋の説明図である。
【図１４】鵞足の位置を説明する図である。
【図１５】本発明の効果確認試験において加速度計を取り付ける位置を説明する図である。
【図１６】効果確認試験の結果を示すグラフである。
【発明を実施するための形態】
【００１５】
本発明者らは、歩行や階段の昇降時に膝にかかる負担を低減し、膝関節を適切に保護するためには、図１３（ａ）に示すように、骨盤の上部（上前腸骨棘の位置）から起こり、大腿部を斜めに内側に下り、脛骨粗面の内側に至る縫工筋３０１と、図１３（ｂ）に示すように、恥骨結合の外側縁から起こり、大腿部の内側を下り、脛骨の内側（縫工筋３０１の付着部の後方）に至る薄筋３０２の双方の働きをサポートすることが重要であることを見出し、本発明を完成させた。
【００１６】
縫工筋３０１は、太ももを上げたり膝を伸ばす際の膝関節や股関節の屈曲に関与する筋肉であり、薄筋３０２は、大腿の内転や下腿の屈曲及び内旋に関与する筋肉である。これらの筋肉は、何れも歩行や階段の昇降に伴う膝関節、大腿部、下腿部の動きに重要な役割を果たしているものであるところ、加齢等が原因でこれらの筋力が弱まると、最初にＯ脚の傾向が生じ、ひいては膝に負担がかかって膝痛の症状が生じてしまう。したがって、膝痛を予防するためには、特別な運動をするときだけ膝を保護するのではなく、日常着ることができる衣服に縫工筋と薄筋の働きをサポートする構成を付与して、日頃からＯ脚の傾向が生じるのを防止することが効果的である。
【００１７】
そこで、本発明では、日常の衣服に縫工筋と薄筋の働きをサポートする構成を付与し、日頃からＯ脚の傾向が生じるのを防止するという目的を、膝の上下の所要の位置に第１低伸縮領域及び第２低伸縮領域を周設し、膝の位置に第３低伸縮領域を周設し、さらに、第３低伸縮領域の鵞足の位置から縫工筋の筋繊維の方向に沿うように伸びて第１低伸縮領域と交わる位置まで延設された第４低伸縮領域と、第３低伸縮領域の鵞足の位置から薄筋の筋繊維の方向に沿うように伸びて第１低伸縮領域と交わる位置まで延設された第５低伸縮領域と、第３低伸縮領域の鵞足の位置から下腿部の前側を下方に伸びて第２低伸縮領域と交わる位置まで延設された第６低伸縮領域とを設け、第１〜第６低伸縮領域はこれらの領域を設けないベース部よりも緊締力を強くした構成を採用することによって実現した。なお、図１４に示すように、膝の内側には大腿部から縫工筋３０１、薄筋３０２、半腱様筋３０３の腱組織が一箇所にまとまって付着しており、この箇所は鵞足３０４と呼ばれる。  
【００１８】
つまり、本発明では、第４低伸縮領域が縫工筋の働きを、第５低伸縮領域が薄筋の働きをサポートし、さらに、鵞足の位置から下腿部の前側を下方に伸びるように設けた第６低伸縮領域が第４低伸縮領域と第５低伸縮領域の効果をさらに引き出すサポートをする。また、膝を支点として第４〜第６低伸縮領域の緊締力を膝の上下に伝えるために、膝の位置と膝の上下の所要の位置に緊締力の高い第１〜第３低伸縮領域を設けている。
【００１９】
本発明は、従来技術（特許文献２）とは異なり、膝のサポートに有効な部位にのみ第１〜第６低伸縮領域を設けたので、日常着る衣服に縫工筋と薄筋の働きをサポートする構成を付与し、これによって日頃からＯ脚を防止し膝を保護することができる。具体的には、本発明は、例えばスパッツ、レギンス、トレンカ、タイツ、膝用サポーターなどに適用できる。
【００２０】
第１低伸縮領域は、例えば大腿部の上下方向中央の位置に太ももの全周に亘って設けることができる。あるいは、大腿部の中央よりも太ももの付け根方向にシフトさせた位置に設けても良い。また、第２低伸縮領域は、例えば下腿部の上下方向中央の位置にふくら脛の全周に亘って設けることができる。あるいは、下腿部の中央よりも若干足首の方向にシフトさせた位置に設けても良い。第１，第２低伸縮領域の上下方向の幅は、例えば３．０〜８．０ｃｍの範囲とすることができる。
【００２１】
第３低伸縮領域は膝の全周に亘って設け、上下方向の幅は、例えば、膝の裏側においては３．０〜５．０ｃｍ、膝の表側においては７．０〜９．０ｃｍの範囲とすることができる。また、第４〜第６低伸縮領域は、第３低伸縮領域上の鵞足の位置を始点として第１又は第２低伸縮領域まで延設されるが、この延設方向と直交する向きの幅は、例えば１．０〜３．０ｃｍの範囲とすることができる。
【００２２】
なお、膝を曲げると膝蓋骨の部分が出張るが、伸縮性が低い第３低伸縮領域は膝蓋骨の出張りに追従し難い。したがって、本発明では、第３低伸縮領域は膝蓋骨を覆う部分には設けない方がより望ましい。具体的には、膝蓋骨を覆う部分は、第３低伸縮領域としては孔開きの状態とし、ベース部と同じ編み組織とすることが望ましい。
【００２３】
本発明において「ベース部」とは、第１〜第６低伸縮領域を設けない部分をいう。ベース部は、日常生活において脚部を締め付け過ぎることがないように、従来の衣服と同じ編み組織で構成することが望ましい。
【００２４】
本発明では、第１〜第６低伸縮領域はベース部よりも伸縮性が低く、緊締力（引張したときに元の状態に戻す力）を強くする必要がある。具体的には、（１）裏糸を太くしたり、ポリウレタンやゴム糸等の伸縮素材を加えたり挿入するなど、使用する糸で調整する方法、（２）タック編み等の伸縮し難い編み組織を用いたり、丸編機の度目調整手段によりベース部よりも小さな編目を用いるなど、編成方法で調整する方法、（３）樹脂を含浸させて伸縮性を低くする方法、などが採用できる。
【００２５】
上記３通りの方法の内、樹脂を含浸させて伸縮性を低くする方法は、合成樹脂からなる緊締部を設ける従来技術（特許文献１）ほどではないが、着心地を悪くするというデメリットがあることは否めない。そのため、着心地を良くし、ファッション性もより良いものとするためには、使用する糸で調整する方法か、編成方法で調整する方法の何れかを採用する方が望ましい。
【００２６】
もっとも、使用する糸で調整する方法は、編成方法で調整する方法と比較すると緊締力を高める効果が小さい上、複数の種類の糸を要するのでコストアップにもなる。
【００２７】
そこで、本発明では、第１〜第６低伸縮領域は、丸編機によって同一コースの編み組織内で編目の大きさを変化させる度目調整手段により、ベース部よりも小さな編目を用いて編成することが望ましい。このようにすれば、ベース部には大きな編目を用い、第１〜第６低伸縮領域に相当する部分にのみ小さな編目を用いて緊締力を高めた膝保護用衣服を丸編機によって効率良く生産できるので、複数の生地パターンを個別に作成し、外膝及び内膝サポート部分を別途縫製する従来技術（特許文献３）よりもコストダウンが図れる。
【００２８】
なお、「小さな編目を用いて」とは、その領域中の全ての編目を小さな編目とする構成に限らず、その領域中の一部（例えば６０〜９０％）に小さな編目を配置させる構成も含むものである。また、本発明では、第１〜第６低伸縮領域とベース部の緊締力の比は任意に設計することができる。一例を挙げれば、第１〜第６低伸縮領域の緊締力は、ベース部の緊締力の１．２〜２．０倍の範囲とすることができる。
【００２９】
丸編機の度目調整手段を利用して第１〜第６低伸縮領域を編成する場合、その具体的な手段は特に限定をするものではなく、例えば丸編機のステッチカムを上下させ、編み針の下降距離（引き込み量）を変えることによって編目の大きさを変化させる方法も採用し得る。
【００３０】
しかし、本発明では、丸編機のシンカー上面に編み糸保持部としてシンカートップと該シンカートップよりも低い位置で編み糸を保持するシンカーエクボを形成した度目変化シンカーを使用し、前記度目変化シンカーの丸編機の軸心方向の進退を切り替えることにより、同一コースの編み組織内で編目の大きさを変化させる手段を用いる方が、より望ましい。ステッチカムを用いた方法の場合、３〜５本の編み針が同時にステッチカムの作用を受けて、一目単位に編目の大きさを変化させることは不可能であるが、上記のような構成の度目変化シンカーを用いた場合は、編み針の引き込み量を変えることなく、度目変化シンカーの丸編機の軸心方向への進退を切り替えるだけで、一目単位に編目の大きさを変化させることができるので、第１〜第６低伸縮領域を所定の位置に正確かつ簡単に編成できるからである。
【実施例】
【００３１】
以下、本発明の膝保護用衣服を、実施例に基づいて更に詳細に説明する。図１は、本発明をスパッツＳに適用した第１実施例の膝保護用衣服の正面図、図２は、同実施例の背面図、図４は、同実施例を着用した状態の説明図である。図１〜図２及び図４において、１は第１低伸縮領域、２は第２低伸縮領域、３は第３低伸縮領域、４は第４低伸縮領域、５は第５低伸縮領域、６は第６低伸縮領域、７はベース部を示している。
【００３２】
図１〜図２及び図４に示すように、スパッツＳは、太ももの付け根付近の位置の全周に第１低伸縮領域１を設けており、膝よりも下方のふくら脛の中央位置の全周に第２低伸縮領域２を設けている。また、膝の位置の周囲には第３低伸縮領域３を設けている。
【００３３】
第３低伸縮領域３は、膝蓋骨の部分（図１では楕円で示している）を囲むようにその周囲にのみ存在し、膝蓋骨を覆う部分はベース部７ａとしている。こうすることにより、膝を曲げても膝蓋骨の出張りに追従してベース部７ａが伸びるので、膝の動きを妨げることがない。
【００３４】
第４低伸縮領域４は、図１に示すように、第３低伸縮領域３上の膝の内側にある鵞足の位置３ａから縫工筋の筋繊維の方向に沿うように外側に向けて斜め上方に伸びて第１低伸縮領域１と交わる位置１ａまで延設されている。第４低伸縮領域４と第１低伸縮領域１の交わり位置１ａは、大腿部の正面の位置としている。
【００３５】
また、第５低伸縮領域５は、図１〜図２に示すように、第３低伸縮領域３上の膝の内側にある鵞足の位置３ａから薄筋の筋繊維の方向に沿うように上方向に伸びて第１低伸縮領域１と交わる位置１ｂまで延設されている。第５低伸縮領域５と第１低伸縮領域１の交わり位置１ｂは、大腿部の内側の位置としている。なお、第５低伸縮領域５を設ける範囲は、右脚の内側面を示した図４（ｃ）を参照すると分かり易い。
【００３６】
また、第６低伸縮領域６は、図１に示すように、第３低伸縮領域３上の膝の内側にある鵞足の位置３ａから下腿部の前面側（向こう脛側）を、外側に向けて斜め下方に伸びて第２低伸縮領域２と交わる位置２ａまで延設されている。第６低伸縮領域６と第２低伸縮領域２の交わり位置２ａは、下腿部の向こう脛の位置としている。
【００３７】
図３は、第１実施例のスパッツＳの左脚部分の要部の展開図であり、編地の設計上、ベース部７中のどの位置に第１〜第６低伸縮領域１〜６が配置されるかを示した図である。第１〜第６低伸縮領域１〜６は、後述する丸編機の度目調整手段により、ベース部７よりも編目のループのサイズが小さい「小さな編目」を各領域の全域に配置し、緊締力を高めている。なお、本実施例では、第１〜第６低伸縮領域１〜６の緊締力は同じとし、差は設けていない。
【００３８】
本実施例のスパッツＳは、図３に示すような編み組織のレイアウトのデータを丸編機に入力することにより一体的に編み立てられ、縫製を要するのは図１の符号Ｈで示すラインの部分のみであるため、複数のパーツを縫い合わせる場合と比較すると工数の削減が図れる。
【００３９】
続いて、図４〜図７を参照しながら第１〜第６低伸縮領域１〜６の作用について説明する。図４は、第１実施例のスパッツＳを着用した状態の説明図、図５は、本発明をサポーターＰに適用した第２実施例を着用した状態の説明図、図６は、本発明をレギンスＬに適用した第３実施例を着用した状態の説明図、図７は、本発明をトレンカＴに適用した第４実施例を着用した状態の説明図である。各図において、（ａ）は右脚の外側面、（ｂ）は正面、（ｃ）は右脚の内側面を示している。
【００４０】
膝を支点として第４〜第６低伸縮領域４〜６の緊締力を膝の上下に伝えるためには、膝の位置と膝の上下の所要の位置を固定する必要がある。本発明では、第１低伸縮領域１を大腿部の所要の位置に、第２低伸縮領域２を下腿部の所要の位置に夫々設け、これらがテーピングのアンカーと同様の作用を発揮すると共に、第３低伸縮領域３が膝の周囲をサポートする。
【００４１】
その上で、第１低伸縮領域１と第３低伸縮領域３の間には、第３低伸縮領域３上の鵞足の位置３ａを始点とし縫工筋の筋繊維の方向に沿うように大腿部の外側に向けて斜め上方に伸びて第１低伸縮領域１と交わる太ももの正面の位置１ａを終点とする第４低伸縮領域４と、第３低伸縮領域３上の鵞足の位置３ａを始点とし薄筋の筋繊維の方向に沿うように大腿部の内側を真上方向に伸びて第１低伸縮領域１と交わる太ももの内側の位置１ｂを終点とする第５低伸縮領域５を設けている。本発明では、この第４低伸縮領域４と第５低伸縮領域５が、加齢等により筋力が低下した縫工筋や薄筋の働きをアシストする。さらに、第２低伸縮領域２と第３低伸縮領域３の間には、第３低伸縮領域３上の鵞足の位置３ａを始点とし下腿部の前面側（向こう脛側）を外側に向けて斜め下方に伸びて第２低伸縮領域２と交わる向こう脛の正面の位置２ａを終点とする第６低伸縮領域６を設けている。図３により明らかなように、第６低伸縮領域６は、第３低伸縮領域３の鵞足の位置３ａにおいて、第４低伸縮領域４及び第５低伸縮領域５と連続している。第６低伸縮領域６が鵞足の位置３ａと向こう脛の正面の位置２ａ間の緊締力を高めることにより、第４低伸縮領域４と第５低伸縮領域５の効果がさらに引き出され、Ｏ脚を抑制することができる。
【００４２】
本発明では、第１〜第６低伸縮領域１〜６が夫々上記の役割を果たし、無駄な構成が無いので、図４〜図７に示すように、スパッツＳ、サポーターＰ、レギンスＬ、トレンカＴ等の日常着る衣服に縫工筋と薄筋の働きをサポートする構成を付与することができ、これによって日頃からＯ脚を防止し、膝を保護することができる。
【００４３】
次に、上記各実施例において、第１〜第６低伸縮領域１〜６を設けるために使用した丸編機の度目調整手段について説明する。図８は、本実施例で用いた度目変化シンカー２０を側面の方向から見た図である。
【００４４】
度目変化シンカー２０は、編み糸を保持するシンカー上面に、編み糸保持部２４としてシンカートップ２５と、このシンカートップ２５よりも低い位置で編み糸を保持するシンカーエクボ２６を設けている。シンカートップ２５とシンカーエクボ２６は、高さに差を設けており、これによって編目のサイズを切り替えるものである。シンカートップ２５とシンカーエクボ２６の高さの差は、例えば０．２ｍｍから１．６ｍｍの範囲とすることができるが、編機のゲージによってはそれ以上でもよい。
【００４５】
２１は、セレクトされる度目変化シンカー２０を決定するためのシンカーセレクトバットを示している。図８では、最下端の位置が突出したシンカーセレクトバット２１を有する度目シンカー２０のみを示しているが、実際には、シンカーセレクトバット２１を設ける位置を順に高くした例えば４種類の度目シンカー２０を準備する。なお、２７は、シンカーキャップのカムによって編目編成後の度目変化シンカー２０の前進と後退の作用を受けるシンカーバットを示している。
【００４６】
図９は、本実施例で使用した丸編機のシリンダー９０とシンカーベース１００を示した図である。シリンダー９０には、編み針３０、中間ジャック７０及びニードルセレクター８０を挿入するシリンダースリット９１が設けられている。また、シンカーベース１００には、編み針３０の間に図８に示した度目変化シンカー２０を挿入するシンカースリット１０１が設けられている。
【００４７】
度目変化シンカー２０のシンカーセレクトバット２１は、シンカースリット１０１の外側に突出している。その突出部分に接するようにアクチェター４０がセッテングされている。シリンダー９０は、図９の矢印Ａの方向に回転し、編み針３０はステッチカム５０によって編目編成動作を行う。そのとき、アクチェターセレクトヘッド４１によって押された度目変化シンカー２１は、丸編機の軸心方向に前進する。
【００４８】
図１０は、シンカースリット１０１の部分に挿入された度目変化シンカー２０と、シリンダースリット９１の部分に組み込まれた編み針３０、中間ジャック７０、ニードルセレクター８０の位置関係を示した図である。
【００４９】
図１１は、度目変化シンカー２０を作用させながら編み針３０で編目が編成される過程を順に示した図である。（ａ）では、編み針３０の針フック３２に編み糸６０が掛かり、ステッチカム５０で編み針３０が下降する状態となっている。このとき、度目変化シンカー２０は後退位置にある。（ｂ）に示すように、編み針３０がさらに矢印Ｂ方向に下降すると、度目変化シンカー２０はアクチェーターセレクトヘッド４１の作用を受けて矢印Ｃ方向に前進し始める。また、針べら３３はオールドループ６１によって閉じられ、編目の形成が始まる。
【００５０】
図１１（ｃ）では、編み針３０がさらに下降し、針バット３１がステッチカム５０のボトム５１に達した状態が示されている。これと同時に、度目変化シンカー２０はアクチェターセレクトヘッド４１の作用を受けてさらに矢印Ｃの方向に前進し、編み糸６０はシンカーエクボ２６に乗った状態となる。このときの度目は、シンカーエクボ２６の位置とボトムラインの間の距離Ｙによって決まり、小さな編目が編成される。
【００５１】
アクチェターセレクトヘッド４１は、電子信号のＯＮ−ＯＦＦの切り替えによって上下にスイングし、作用位置と作用外位置を選別する。度目変化シンカー２０がアクチェーターセレクトヘッド４１の作用を受けない場合は、度目変化シンカー２０は矢印Ｃの方向に前進せず、編み糸６０がシンカートップ２５に乗った状態で編成動作が行われる。このときの度目は、シンカートップ２５の位置とボトムラインの間の距離によって決まり、通常の大きさの編目が編成される。
【００５２】
このように、本実施例では、丸編機のシンカー上面に編み糸保持部２４としてシンカートップ２５と該シンカートップ２５よりも低い位置で編み糸を保持するシンカーエクボ２６を形成した度目変化シンカー２０を使用し、度目変化シンカー２０の丸編機の軸心方向の進退を切り替えることにより、同一コースの編み組織内で編目の大きさを変化させる手段を用いたので、複数のパターンを個別に作成し、外膝及び内膝サポート部分を別途縫製する従来技術（特許文献３）よりもコストダウンが図れる。
【００５３】
また、ステッチカムを用いた方法の場合、数本の編み針が同時にステッチカムの作用を受けて、一目単位に編目の大きさを変化させることは困難であるが、上記のような構成の度目変化シンカー２０を用いた場合は、編み針の引き込み量を変えることなく、度目変化シンカー２０の丸編機の軸心方向への進退を切り替えるだけで、例えば図１２に示すように、一目単位に編目の大きさを変化させることもでき、第１〜第６低伸縮領域１〜６を正確に編成できるので、より好適である。なお、図１２において、Ｙ１は編み糸６０がシンカーエクボ２６に乗った状態で編成された小さな編目を、Ｙ２は編み糸６０がシンカートップ２５に乗った状態で編成された大きな編目（通常の編目）を示している。
【００５４】
次に、本発明の膝保護用衣服の効果を確認するために行った試験について説明する。この試験では、図１５に示すように、被験者（健常大学生８名（男：２名、女：６名））の右脚Ｒの膝の外側面に加速度センサーＫ１を装着し、高さ３０ｃｍの台上から被験者が床面に飛び降りて着地した時の「膝左右方向（側方）加速度」を加速度計Ｋ２で計測し、第１実施例のスパッツＳを着用した場合（実施例）と着用しない場合（比較例）でデータを比較した。測定は被験者ごとに行い、１つの条件につき３回試験を行い３回分のデータの平均値を求めた。試験結果は、図１６のグラフに示すとおりとなった。なお、図１６のグラフの縦軸の単位は「ｍ／ｓ2 」であり、縦軸の数値が低ければ低いほど膝が外側に動揺するのを制動する効果が高いことを示している。
【００５５】
図１６のグラフに示すように、膝左右方向加速度（右膝の外側方向加速度）の値は、第１実施例のスパッツＳを着用した場合は14.46744ｍ／ｓ2、比較例は30.18625ｍ／ｓ2となり有意な差が得られた。これにより、本発明の膝保護用衣服には、歩行や階段の昇降時に膝が外側に動揺するのを制動する効果があることが確認された。
【００５６】
本発明は上記の例に限らず、各請求項に記載された技術的思想の範疇であれば、適宜実施の形態を変更しても良いことは言うまでもない。
【産業上の利用可能性】
【００５７】
本発明の膝保護用衣服は、中高齢者の衣服に限らず全ての年齢層の衣服に適用できるものである。
【符号の説明】
【００５８】
１  第１低伸縮領域
２  第２低伸縮領域
３  第３低伸縮領域
３ａ  鵞足の位置
４  第４低伸縮領域
５  第５低伸縮領域
６  第６低伸縮領域
７  ベース部
２０  度目変化シンカー
２４  編み糸保持部
２５  シンカートップ
２６  シンカーエクボ
３０１  縫工筋
３０２  薄筋
３０４  鵞足
Ｓ，Ｐ，Ｌ，Ｔ  膝保護用衣服
【図１】
2011038230.tif 000003
【図２】
2011038230.tif 000004
【図３】
2011038230.tif 000005
【図４】
2011038230.tif 000006
【図５】
2011038230.tif 000007
【図６】
2011038230.tif 000008
【図７】
2011038230.tif 000009
【図８】
2011038230.tif 000010
【図９】
2011038230.tif 000011
【図１０】
2011038230.tif 000012
【図１１】
2011038230.tif 000013
【図１２】
2011038230.tif 000014
【図１３】
2011038230.tif 000015
【図１４】
2011038230.tif 000016
【図１５】
2011038230.tif 000017
【図１６】
2011038230.tif 000018